(57)【要約】  ３６０°全周にわたる風の吹出しを実現でき、且つ吹出口の風の吹出しを均一にする、吹出パネルと吹出パネルを含む空調室内機。吹出パネル（２０）は、外枠（２１）と、内枠（２２）と、接続ロッド（２４）を有する。外枠と内枠に囲まれて多辺形の吹出口（ＣＦ）が形成される。接続ロッドは吹出口の角部に設けられ、外枠と内枠を接続する。接続ロッドは、接続ロッド本体（２４１Ａ）と接続部（２４２Ａ）を有する。接続部は、接続ロッド本体よりも吹出パネルの中心に近く、接続ロッド本体を内枠と接続する。接続部と接続ロッド本体は、それぞれ第１面と第２面とを有する。吹出パネルの内面側から外面側に向かって見た時、吹出パネルの中心を時計回りに回った方向において、第１面は第２面の下流側に位置する。接続部の第２面と接続ロッド本体の第２面とが組み合わせられて、内に凹んだ形状が形成される。
2019124097.tif 000002
【特許請求の範囲】
【請求項１】
外枠（２１）と、  内枠（２２）と、  接続ロッド（２４）と、を備える吹出パネル（２０）であって、  前記外枠（２１）と前記内枠（２２）に囲まれて多辺形の吹出口（ＣＦ）が形成され、  前記吹出口（ＣＦ）の角部に、前記接続ロッドが設けられ、  前記接続ロッド（２４）は、前記外枠と前記内枠とを接続し、  前記接続ロッド（２４）は、接続ロッド本体（２４１Ａ、２４１Ｂ）と、接続部（２４２Ａ、２４２Ｂ）とを有し、  前記接続部（２４２Ａ、２４２Ｂ）は、前記接続ロッド本体（２４１Ａ、２４１Ｂ）よりも前記吹出パネル（２０）の中心に近く、  前記接続部（２４２Ａ、２４２Ｂ）は、前記接続ロッド本体（２４１Ａ、２４１Ｂ）を前記内枠（２２）と接続させ、  前記接続部（２４２Ａ、２４２Ｂ）と前記接続ロッド本体（２４１Ａ、２４１Ｂ）とは、それぞれ、第１面と第２面とを有し、  前記吹出パネル（２０）の内面側から外面側に向かって見た時、    前記吹出パネル（２０）の中心を時計回りに回った方向において、前記第１面が前記第２面の下流側に位置するか、または、    前記吹出パネル（２０）の中心を反時計回りに回った方向において、前記第１面が前記第２面の下流側に位置し、  前記接続部（２４２Ａ、２４２Ｂ）の第２面（２４２１Ａ、２４２１Ｂ）と前記接続ロッド本体（２４１Ａ、２４１Ｂ）の第２面（２４１１Ａ、２４１１Ｂ）とが組み合わせられて、内に凹んだ形状が形成される、吹出パネル（２０）。
【請求項２】
前記接続部（２４２Ａ、２４２Ｂ）の第２面（２４２１Ａ、２４２１Ｂ）と前記接続ロッド本体（２４１Ａ、２４１Ｂ）の第２面（２４１１Ａ、２４１１Ｂ）とが、鈍角を成す、請求項１に記載の吹出パネル。
【請求項３】
前記接続ロッド（２４）は、前記吹出口（ＣＦ）の一辺に設けられた第１接続ロッド（２４Ａ）及び第２接続ロッド（２４Ｂ）を含み、  前記吹出パネル（２０）の内面側から外面側に向かって見た時、    前記吹出パネル（２０）の中心を時計回りに回った方向において、前記第１面が前記第２面の下流側に位置し、時計回り方向において、前記第２接続ロッド（２４Ｂ）が前記第１接続ロッド（２４Ａ）の下流側に位置するか、または、    前記吹出パネル（２０）の中心を反時計回りに回った方向において、前記第１面が前記第２面の下流側に位置し、反時計回り方向において、前記第２接続ロッド（２４Ｂ）が前記第１接続ロッド（２４Ａ）の下流側に位置する、請求項２に記載の吹出パネル。
【請求項４】
前記第１接続ロッド（２４Ａ）において、前記接続部（２４２Ａ）の第２面（２４２１Ａ）と前記接続ロッド本体（２４１Ａ）の第２面（２４１１Ａ）とが成す角が、１６６°以上１７４°以下である、且つ／または、  前記第２接続ロッド（２４Ｂ）において、前記接続部（２４２Ｂ）の第２面（２４２１Ｂ）と前記接続ロッド本体（２４１Ｂ）の第２面（２４１１Ｂ）とが成す角が、１６４°以上１７６°以下である、請求項３に記載の吹出パネル。
【請求項５】
前記第１接続ロッド（２４Ａ）において、前記接続部（２４２Ａ）の第２面（２４２１Ａ）と第１面（２４２２Ａ）とが成す角が、０°より大きく１０°より小さい、且つ／または、  前記第２接続ロッド（２４Ｂ）において、前記接続部（２４２Ｂ）の第２面（２４２１Ｂ）と第１面（２４２２Ｂ）が成す角が、０°より大きく１０°より小さい、請求項４に記載の吹出パネル。
【請求項６】
前記吹出パネル（２０）の内面側から外面側に向かって見た時、前記接続部（２４２Ａ、２４２Ｂ）の前記接続ロッド本体（２４１Ａ、２４１Ｂ）側から離れた端部は、アーチ形を呈する、請求項１〜５のいずれか１項に記載の吹出パネル。
【請求項７】
前記吹出パネル（２０）の内面側から外面側に向かって見た時、前記接続部（２４２Ａ、２４２Ｂ）の幅は、前記接続ロッド本体（２４１Ａ、２４１Ｂ）側に向かって次第に狭くなる、請求項１〜６のいずれか１項に記載の吹出パネル。
【請求項８】
前記吹出パネル（２０）の内面側から外面側に向かって見た時、前記接続ロッド（２４）は、前記吹出パネル（２０）の中心から前記吹出口（ＣＦ）の角部に向かって延びるよう形成されている、請求項１〜７のいずれか１項に記載の吹出パネル。
【請求項９】
前記吹出パネル（２０）の内面側から外面側に向かって見た時、前記接続部（２４２Ａ、２４２Ｂ）の幅は、前記接続ロッド本体（２４１Ａ、２４１Ｂ）の幅以上である、請求項１〜８のいずれか１項に記載の吹出パネル。
【請求項１０】
前記吹出口（ＣＦ）に設けられた導風フィン（２３）、をさらに備え、  前記導風フィン（２３）は、前記接続ロッド本体（２４１Ａ、２４１Ｂ）に回動可能に設けられる、請求項１〜９のいずれか１項に記載の吹出パネル。
【請求項１１】
前記導風フィン（２３）の回動軸（２９）は、前記導風フィン（２３）に平行な状態で前記接続ロッド本体（２４１Ａ、２４１Ｂ）と枢結されている、請求項１０に記載の吹出パネル。
【請求項１２】
前記接続部（２４２Ａ、２４２Ｂ）と前記接続ロッド本体（２４１Ａ、２４１Ｂ）との境目は、前記内枠（２２）と前記回動軸（２９）の間に位置する、請求項１１に記載の吹出パネル。
【請求項１３】
中間接続ロッド（２５）、をさらに備え、  前記中間接続ロッド（２５）は、前記外枠（２１）を前記内枠（２２）と接続させ、  前記吹出パネル（２０）の内面側から外面側に向かって見た時、前記中間接続ロッド（２５）は、前記吹出口（ＣＦ）の中間に位置し、且つ、前記導風フィン（２３）と垂直であり、  前記中間接続ロッド（２５）には、前記導風フィン（２３）を駆動して回動させるステップモーターが取り付けられている、請求項１０に記載の吹出パネル。
【請求項１４】
前記内枠（２２）には、中央部材（２６）が設けられ、  前記中央部材（２６）には、導風片（２６１）が設けられている、請求項１〜１３のいずれか１項に記載の吹出パネル。
【請求項１５】
前記導風片（２６１）の吸気端（２６１ａ）は、前記接続ロッド本体（２４１Ａ、２４１Ｂ）の第１面（２４１２Ａ、２４１２Ｂ）の延長線上にある、請求項１４に記載の吹出パネル。
【請求項１６】
前記吹出パネル（２０）の厚さ方向において、前記接続ロッド（２４）は、前記導風片（２６１）の中央部に位置する、請求項１４又は１５に記載の吹出パネル。
【請求項１７】
前記接続部（２４２Ａ、２４２Ｂ）は、    前記接続ロッド本体（２４１Ａ、２４１Ｂ）の延びる方向に沿って延びる第１部分（２４２３Ａ、２４２３Ｂ）と、    前記第１部分を前記内枠に接続する第２部分（２４２４Ａ、２４２４Ｂ）と、を有し、  前記第２部分の前記吹出パネル（２０）の中心から離れた端面は、前記吹出口（ＣＦ）の角部に向かって延びる斜切り面である、請求項１〜１６のいずれか１項に記載の吹出パネル。
【請求項１８】
室内機本体（１０）と、  請求項１〜１７のいずれか１項に記載の吹出パネル（２０）と、を備え、  前記吹出パネル（２０）は、前記室内機本体（１０）の下方に設けられるか、または、送風管を介して前記室内機本体（１０）と接続される、空調室内機。
【請求項１９】
前記室内機本体（１０）内には、軸流ファン（３０）が設けられ、  前記吹出パネル（２０）の厚さ方向に沿って見た時、前記軸流ファン（３０）の中心と前記吹出パネル（２０）の中心とが重なり、  前記内枠（２２）には、中央部材（２６）が設けられ、  前記中央部材（２６）には、導風片（２６１）が設けられ、  前記軸流ファン（３０）から吹き出した気流は、前記導風片（２６１）を経由して前記接続ロッド（２４）の接続部（２４２Ａ、２４２Ｂ）へ流れる、請求項１８に記載の空調室内機。
【請求項２０】
前記導風片（２６１）は、第１面と第２面とを有し、  前記吹出パネル（２０）の内面側から外面側に向かって見た時、    前記軸流ファン（３０）から吹き出した気流が、前記吹出パネル（２０）の中心を時計回りに回って流れ、時計回り方向において、前記第１面が前記第２面の下流側に位置するか、または、    前記軸流ファン（３０）から吹き出した気流が、前記吹出パネル（２０）の中心を反時計回りに回って流れ、反時計回り方向において、前記第１面が前記第２面の下流側に位置し、  前記軸流ファン（３０）から吹き出した気流は、前記導風片（２６１）の第２面を経由して前記接続ロッド（２４）の接続部（２４２Ａ、２４２Ｂ）へ流れる、請求項１９に記載の空調室内機。
【発明の詳細な説明】
【技術分野】
【０００１】  吹出パネルと、吹出パネルを含む空調室内機、に関する。
【背景技術】
【０００２】  従来、室内機本体と吹出パネルを有する空調室内機がある。室内機の本体内には、回転軸が上下方向に沿って延びる軸流ファンが設けられている。吹出パネルは、室内機本体の下方に設けられ、吹出口を有する。吹出口内には、導風フィンが設けられている。【０００３】  上述の空調室内機では、吹出口の吹出面積を大きくするため、また、レイアウト上の利便性を考慮して、方形の外枠と、方形の内枠と、外枠と内枠に囲まれて形成された方形の吹出口とを有する吹出パネル、を採用することが考えられる。【０００４】  しかし、上述の場合、軸流ファンにより生じた気流が吹出口の角部へ向かい難いので、吹出口の風の吹出しが不均一になりやすい。【０００５】  また、従来の空気処理機器には、送風管を方形の吹出パネルに接続することによって、空気処理機器の送風ユニットから送り出された螺旋気流を、送風管を経由させて吹出パネルに送るものもある。このような場合も、螺旋気流が吹出パネルの角部へ向かい難いので、吹出口の風の吹出しが不均一になりやすい。
【発明の概要】
【０００６】  上述の問題を鑑みて、目的は、３６０°全周にわたる風の吹出しを実現でき、且つ吹出口の風の吹出しを均一にする、吹出パネルと吹出パネルを含む空調室内機を提供することである。
【０００７】  上述の技術的課題を解決するために、吹出パネルは、外枠と、内枠と、接続ロッドを有する。外枠と内枠に囲まれて多辺形の吹出口が形成される。接続ロッドは吹出口の角部に設けられる。接続ロッドは外枠と内枠を接続する。接続ロッドは、接続ロッド本体と接続部を有する。接続部は、接続ロッド本体よりも吹出パネルの中心に近く、接続ロッド本体を内枠と接続する。接続部と接続ロッド本体は、それぞれ、第１面と第２面を有する。吹出パネルの内面側から外面側に向かって見た時、吹出パネルの中心を時計回りに回った方向において第１面が第２面の下流側に位置する。接続部の第２面と接続ロッド本体の第２面が組み合わせられて、内に凹んだ形状が形成される。
【０００８】  ここで、いわゆる「吹出パネルの外面」とは、吹出パネルが部屋等に取り付けられた時にユーザーに面する面であり、「吹出パネルの内面」とは、「吹出パネルの外面」と反対側の面である。
【０００９】  上述の構造の吹出パネルによると、吹出パネルは、外枠と内枠に囲まれて形成される多辺形の吹出口を利用する。これにより、例えば軸流ファンを設けた室内機本体を含む空調室内機等に使用した場合、３６０°全周にわたる風の吹出しを実現できる。また、吹出パネルは、吹出口の角部に設けられた接続ロッドを有する。吹出パネルの内面側から外面側に向かって見た時、接続ロッドの接続部の第２面と接続ロッド本体の第２面が組み合わせられて内に凹んだ形状が形成される。これにより、例えば軸流ファンを設けた室内機本体を含む空調室内機等に使用した場合、接続ロッドの接続部の第２面を利用して、軸流ファン等により生じた気流を、接続ロッド本体の第２面を経由させて吹出口の角部へ導くことが容易になり、吹出口の風の吹出しが均一になる。
【００１０】  また、以下のようにしてもよい。吹出パネルの内面側から外面側に向かって見た時、吹出パネルの中心を反時計回りに回った方向において、第１面が第２面の下流側に位置する。接続部の第２面と接続ロッド本体の第２面が組み合わせられて内に凹んだ形状が形成される。例えば、軸流ファンを設けた室内機本体を含む空調室内機等に使用した場合、吹出パネルの内面側から外面側に向かって見た時、軸流ファンにより生じた螺旋気流は、吹出パネルの中心を反時計回りに流れる。接続ロッドの接続部の第２面と接続ロッド本体の第２面が組み合わせられて内に凹んだ形状が形成される。これにより、例えば、軸流ファンを設けた室内機本体を含む空調室内機等に使用した場合、接続ロッドの接続部の第２面を利用して、軸流ファン等により生じた気流を、接続ロッド本体の第２面を経由させて吹出口の角部へ導くことが容易になり、吹出口の風の吹出しが均一になる。
【００１１】  吹出パネルにおいて、好ましくは、接続部の第２面と接続ロッド本体の第２面は鈍角を成す。
【００１２】  上述の構造の吹出パネルによると、例えば、軸流ファンを設けた室内機本体を含む空調室内機等に使用した場合、方向の変化により起こる気流の損失が低減するので、軸流ファン等により生じた気流を、接続ロッドの接続部の第２面によって吹出口の角部へ導くことができる。また、接続ロッドの接続部と接続ロッド本体が軸流ファン等により生じた気流に与える妨害を軽減でき、鈍角の箇所で乱流が起きないので、吹出口の風の吹出しが均一になる。
【００１３】  上述の構造の吹出パネルにおいて、以下の構造を採用することができる。接続ロッドは、吹出口の一辺に設けられた第１接続ロッド及び第２接続ロッドを含む。吹出パネルの内面側から外面側に向かって見た時、吹出パネルの中心を時計回りに回った方向において、第１面は第２面の下流側に位置する。時計回り方向において、第２接続ロッドは、第１接続ロッドの下流側に位置する。上述の構造の吹出パネルでは、さらに以下の構造を採用することができる。第１接続ロッドにおいて、接続部の第２面と接続ロッド本体の第２面が成す角は、１６６°以上１７４°以下である。且つ／または、第２接続ロッドにおいて、接続部の第２面と接続ロッド本体の第２面が成す角は、１６４°以上１７６°以下である。このような状況において、さらに以下の構造を採用することができる。第１接続ロッドにおいて、接続部の第２面と第１面が成す角は、０°より大きく１０°より小さい。且つ／または、第２接続ロッドにおいて、接続部の第２面と第１面が成す角は、０°より大きく１０°より小さい。
【００１４】  同様に、吹出パネルの内面側から外面側に向かって見た時、且つ、軸流ファンにより生じた螺旋気流が吹出パネルの中心を反時計回りに回って流れる時、吹出パネルの中心を反時計回りに回った方向において、第１面は第２面の下流側に位置する。反時計回り方向において、第２接続ロッドは第１接続ロッドの下流側に位置する。
【００１５】  上述の構造の吹出パネルによると、例えば、軸流ファンを設けた室内機本体を含む空調室内機等に使用した場合、方向の変化により起こる気流の損失が低減するので、軸流ファン等により生じた気流を、接続ロッドの接続部の第２面によって吹出口の角部へ導くことができる。また、接続ロッドの接続部と接続ロッド本体が軸流ファン等により生じた気流に与える妨害を軽減でき、吹出口の風の吹出しがより均一になる。また、吹出パネルの３６０°全周にわたる風の吹出しを実現できる。
【００１６】  上述の構造の吹出パネルでは、さらに以下の構造を採用することができる。吹出口の同一角部の両側の第１接続ロッドと第２接続ロッドは、第１接続ロッドの接続ロッド本体と第２接続ロッドの接続ロッド本体が平行するように形成されている。
【００１７】  上述の構造の吹出パネルによると、吹出パネルの全体の構造を簡易化することができる。また、例えば、軸流ファンを設けた室内機本体を含む空調室内機等に使用した場合、接続ロッドの接続ロッド本体が吹出口角部の気流に与える妨害を軽減でき、吹出口の風の吹出しが均一になる。
【００１８】  吹出パネルにおいて、好ましくは、吹出パネルの内面側から外面側に向かって見た時、接続部の接続ロッド本体側から離れた端部はアーチ形を呈する。
【００１９】  上述の構造の吹出パネルによると、例えば軸流ファンを設けた室内機本体を含む空調室内機等に使用した場合、接続ロッドの接続部の接続ロッド本体側から離れた端部が軸流ファン等により生じた気流に与える妨害を軽減でき、端部のアーチ形を利用して軸流ファン等により生じた気流を吹出口へ導くことができ、吹出口の風の吹出しが均一になる。
【００２０】  吹出パネルにおいて、好ましくは、吹出パネルの内面側から外面側に向かって見た時、接続部の幅は、接続ロッド本体側に向かって次第に狭くなる。
【００２１】  上述の構造の吹出パネルによると、例えば軸流ファンを設けた室内機本体を含む空調室内機等に使用した場合、接続ロッドの全体の強度を確保できる上、接続ロッドの体積を減らすことができるので、接続ロッドの接続部が軸流ファン等により生じた気流に与える妨害を軽減でき、吹出口の風の吹出しが均一になる。
【００２２】  吹出パネルにおいて、好ましくは、吹出パネルの内面側から外面側に向かって見た時、接続ロッドは、中心の方向から吹出口の角部に向かって延びるように形成されている。
【００２３】  上述の構造の吹出パネルによると、例えば、軸流ファンを設けた室内機本体を含む空調室内機等に使用した場合、軸流ファン等により生じる気流を吹出口の角部へ導くことができ、吹出口の角部からも気流が吹き出すので、吹出パネルの３６０°全周にわたる風の吹出しを実現し、吹出口の風の吹出しが均一になる。
【００２４】  吹出パネルにおいて、好ましくは、吹出パネルの内面側から外面側に向かって見た時、接続部の幅は接続ロッド本体の幅以上である。
【００２５】  上述の構造の吹出パネルによると、例えば、軸流ファンを設けた室内機本体を含む空調室内機等に使用した場合、接続部の強度を保証するとともに、接続ロッド本体が軸流ファン等により生じる気流に与える妨害を軽減でき、吹出口の風の吹出しが均一になる。
【００２６】  吹出パネルにおいて、好ましくは、吹出パネルは、吹出口に設けられた導風フィンをさらに有する。導風フィンは、接続ロッド本体に回動可能に設けられる。
【００２７】  上述の構造の吹出パネルによると、導風フィンを利用して、吹出口から吹き出す気流の方向をコントロールすることができる。
【００２８】  吹出パネルにおいて、好ましくは、導風フィンの回動軸は、導風フィンに平行な状態で接続ロッド本体と接続される。
【００２９】  上述の構造の吹出パネルによると、簡単な構造で導風フィンを接続ロッドに接続することができる。
【００３０】  上述の構造の吹出パネルにおいて、以下の構造を採用することができる。接続部と接続ロッド本体の境目は、内枠と回動軸の間に位置する。
【００３１】  上述の構造の吹出パネルによると、接続ロッドの構造を簡易化でき、導風フィンが回動する時に、接続ロッドと干渉することが回避される。
【００３２】  吹出パネルにおいて、好ましくは、吹出パネルには、中間接続ロッドがさらに設けられる。中間接続ロッドは、外枠を内枠と接続する。吹出パネルの内面側から外面側に向かって見た時、中間接続ロッドは、吹出口の中間に位置し、導風フィンに対して垂直である。中間接続ロッドには、導風フィンを駆動して回動させるステップモーターが取り付けられている。
【００３３】  上述の構造の吹出パネルによると、導風フィンが受ける力を均衡させることができ、駆動構造を簡易化できる。
【００３４】  吹出パネルにおいて、好ましくは、内枠には中央部材が設けられる。この中央部材には導風片が設けられる。
【００３５】  上述の構造の吹出パネルによると、例えば、軸流ファンを設けた室内機本体を含む空調室内機等に使用した場合、導風片を利用して、軸流ファン等により生じた気流を導き、気流が下向きにまっすぐ吹くことを防ぐので、吹出口の風の吹出しをより均一にできる。
【００３６】  吹出パネルにおいて、以下の構造を採用することができる。導風片の吸気端は接続ロッド本体の第１面の延長線上に位置する。
【００３７】  上述の構造の吹出パネルによると、吹出口の角部へ流れる気流をさらに確保でき、吹出口の風の吹出しが均一になる。
【００３８】  上述の吹出パネルにおいて、以下の構造を採用することもできる。吹出パネルの厚さ方向において、中央部材は、少なくとも一部が吹出パネルから突出している。
【００３９】  上述の構造の吹出パネルによると、例えば、軸流ファンを設けた室内機本体を含む空調室内機等に使用した場合、導風片が軸流ファン等から吹出された気流を導く効果を向上させることができる。
【００４０】  上述の吹出パネルにおいて、さらに以下の構造を採用することができる。吹出パネルの厚さ方向において、接続ロッドは、導風片の中央部に位置する。
【００４１】  上述の構造の吹出パネルによると、導風片と接続ロッドの相互作用が強まり、吹出口の角部へ流れる気流を確保でき、吹出口の風の吹出しが均一になる。
【００４２】  上述の吹出パネルにおいて、さらに以下の構造を採用することができる。接続部は、接続ロッド本体に沿って延びる方向に伸びる第１部分と、第１部分を内枠に接続する第２部分を有する。第２部分の吹出パネルの中心方向から離れた端面は、吹出口の角部に向かって延びる斜切り面である。
【００４３】  上述の構造の吹出パネルによると、吹出口の角部へ流れる気流をさらに確保することができ、吹出口の風の吹出しが均一になる。
【００４４】  上述の技術的課題を解決するために、空調室内機は、室内機本体と、上述の吹出パネルを有する。吹出パネルは、室内機本体の下方に設けられるか、または、送風管を介して室内機本体と接続される。
【００４５】  上述の構造の空調室内機において、以下の構造をさらに採用することができる。室内機本体内には、軸流ファンが設けられる。吹出パネルの厚さ方向に沿って見た時、軸流ファンの中心と吹出パネルの中心は重なる。内枠には、中央部材が設けられ、中央部材には、導風片が設けられる。軸流ファンから吹き出した気流は、導風片を経由して接続ロッドの接続部へ流れる。具体的には、導風片は、第１面と第２面を有する。吹出パネルの内面側から外面側に向かって見た時、時計回り方向において、第１面は第２面の下流側に位置し、軸流ファンから吹き出した気流は導風片の第２面を経由して、接続ロッドの接続部へ流れる。
【００４６】  同様に軸流ファンにより生じた螺旋気流が、吹出パネルの中心を反時計方向に回って流れる時、反時計回り方向において、導風片の第１面は第２面の下流側に位置する。
【発明の効果】
【００４７】  上記の吹出パネルと空調室内機によると、吹出パネルは外枠と内枠に囲まれて形成された多辺形の吹出口を利用するので、３６０°全周にわたる風の吹出しを実現できる。また、吹出パネルは、吹出口の角部に設けられた接続ロッドを有し、吹出パネルの内面側から外面側に向かって見た時に、接続ロッドの接続部の第２面と接続ロッド本体の第２面が組み合わされて内に凹んだ形状が形成される。これにより、接続ロッドの接続部の第２面を利用して、軸流ファン等により生じた螺旋気流を、接続ロッド本体の第２面を経由させて吹出口の角部へ導くことが容易になり、吹出口の風の吹出しが均一になる。
【図面の簡単な説明】
【００４８】
【図１】空調室内機の全体構造を模式的に示す側面断面図である。
【図２】空調室内機を模式的に示す平面図である。
【図３】空調室内機の吹出パネルの一部の構造を模式的に示す平面図である。
【図４】空調室内機の吹出パネルの一部の構造を模式的に示す斜視図である。ただし、導風フィンは省略されている。
【図５】空調室内機の吹出パネルの一部の構造を模式的に示す斜視図である。
【図６】空調室内機の吹出パネルの一部の構造を模式的に示す平面図であり、第１接続ロッド付近の構造を示している。
【図７】空調室内機の吹出パネルの一部の構造を模式的に示す平面図であり、第２接続ロッド付近の構造を示している。
【図８】空調室内機の一部の構造を模式的に示す側面断面図である。
【発明を実施するための形態】
【００４９】  以下、図１〜図８を参照しながら、室内機本体と吹出パネルを有する空調室内機を例にして、実際に取り付けた状態に基づいて、吹出パネル及び空調室内機の実施形態について説明する。説明の便宜上、互いに直行する３つの方向をＸ方向、Ｙ方向、Ｚ方向とし、このうち、Ｘ方向とＹ方向は空調室内機を実際に取り付けた状態の水平面の方向に対応し、Ｚ方向は空調室内機を実際に取り付けた状態の上下方向に対応する。また、Ｙ１方向側、Ｙ２方向側、Ｘ１方向側、Ｘ２方向側、Ｚ１方向側、Ｚ２方向側は、それぞれ空調室内機を実際に取り付けた状態の前側、後側、左側、右側、下側、上側に対応する。
【００５０】  図１に示すように、本実施形態の空調室内機１は、室内機本体１０と吹出パネル２０を有する。室内機本体１０内には、軸流ファン３０が設けられている。吹出パネル２０は、室内機本体１０の下方に設けられている（Ｚ１方向側）。
【００５１】  ここで、室内機本体１０は、全体として略直方体形状を呈しており、天面と、底面と、４つの側面を有する。各側面全てに、吸気口ＪＦが設けられ、各吸気口ＪＦ全てに、フィルターユニット４０が設けられている。また、図１に示すように、室内機本体１０内には、熱交換器５０がさらに設けられている。熱交換器５０は、吸気口ＪＦの内側に設けられ、フィルターユニット４０に囲まれている。また、熱交換器５０の内側には、軸流ファン３０が設けられる。軸流ファン３０は、回転軸が吹出パネル２０の中心軸Ｌ（吹出パネル２０の中心を通り、吹出パネル２０の厚さ方向に伸びる軸）と重なるように設けられている。図２に示すように、この時、軸流ファンにより生じた螺旋気流は、吹出パネルの中心を時計回りに回って流れる。
【００５２】  また、図１と図２に示すように、吹出パネル２０は、外枠２１と、内枠２２と、接続ロッド２４を有する。外枠２１と内枠２２に囲まれて、多辺形の吹出口ＣＦが形成される。接続ロッド２４は、吹出パネル２０の角部に設けられ、外枠２１と内枠２２を接続する。これにより、他の接続部材を増やす必要がなく、他の接続部材が吹出口からの気流に与える妨害が軽減されるので、構造が簡単なだけでなく、吹出面積を増やすことができる。
【００５３】  ここで、図１と図２に示すように、吹出パネル２０の内面側から外面側に向かって見た時、具体的には、吹出パネル２０の室内機本体１０に近い側（Ｚ２方向側）から室内機本体１０と離れた側（Ｚ１方向側）に向かって見た時、接続ロッド２４は、第１面（図２の時計回り方向の下流側）と第２面（図２の時計回り方向の上流側）を有する。軸流ファン等により生じた気流は、第２面、第１面の順に流れる。言い換えると、第２面は、風受け面であり、第１面は、風受け面の反対側の面（背面）である。
【００５４】  ここで、図２に示すように、吹出パネル２０は、略方形を呈しており、方形の外枠２１と方形の内枠２２を有する。外枠２１と内枠２２に囲まれて、方形の吹出口ＣＦが形成される。吹出口ＣＦの各辺（各辺が小吹出口を構成する）には、一組の導風フィン２３が設けられている。図２、図３に示すように、導風フィン２３の各組は、３つの平行な導風フィンから成る。また、これらの３つの平行な導風フィンは、それぞれ、その長さが吹出パネル２０の内枠２２から外枠２１へ向かう方向に沿って少しずつ長くなるように設けられている。導風フィン２３が回動して吹出口ＣＦが開く時、導風フィン２３の両端の気流は、平行に吹き出されるのではなく、複数の導風フィン２３の端部に沿って次第に下方へ拡散していく。よって、導風フィン２３の両端の、流動速度が相対的に遅い気流が、天井に引き寄せられることがない。このため、気流に含まれる埃などの汚染物が天井に付着することが回避される。また、全体として、大部分の気流は依然として導風フィン２３に導かれるので、気流の均一分布を変わらず保つことができる。
【００５５】  また、図２に示すように、Ｚ方向に沿って見た時、接続ロッド２４は、吹出パネル２０の中心から吹出口ＣＦの角部へ向かって延びるように形成されている。
【００５６】  また、図２に示すように、接続ロッド２４は、吹出口の一辺に設けられた第１接続ロッド２４Ａ及び第２接続ロッド２４Ｂを含む。Ｚ方向に沿って見た時、時計回り方向において、第２接続ロッド２４Ｂは、第１接続ロッド２４Ａの下流側に位置する。これにより、第１接続ロッド２４Ａと第２接続ロッド２４Ｂをそれぞれ利用して、軸流ファン等により生じた気流を、吹出口ＣＦの２つの角部へ導くことができる。これにより、吹出口ＣＦの２つの角部における気流を、どちらも均一に分布させることができる。
【００５７】  また、図２と図６に示すように、第１接続ロッド２４Ａは、接続ロッド本体２４１Ａと接続部２４２Ａを有する。接続ロッド本体２４１Ａには、導風フィン２３が回動可能に設けられる。接続部２４２Ａは、接続ロッド本体２４１Ａよりも吹出パネル２０の中心に近く、接続ロッド本体２４１Ａを内枠２２と接続する。また、Ｚ方向に沿って見た時に、接続部２４２Ａの第２面２４２１Ａと接続ロッド本体２４１Ａの第２面２４１１Ａとが組み合わせられて、内に凹んだ形状が形成される。ここで、図４と図５に示すように、接続部２４２Ａは、接続ロッド本体２４１Ａの延びる方向にほぼ沿って延びる第１部分２４２３Ａと、その第１部分２４２３Ａを内枠２２に接続する第２部分２４２４Ａと、を有する。第１部分２４２３Ａと第２部分２４２４Ａは、どちらも、気流を導く役割を果たす導風面を有する。具体的には、第１部分２４２３Ａと第２部分２４２４Ａの吹出パネルの中心に近い端面は、どちらもアーチ形の導風面である。第２部分２４２４Ａの吹出パネルの中心から離れた端面は、吹出口ＣＦの角部へ向かって延びる斜切り面である（吹出口ＣＦの角部に近づくほど、風を受ける面と、その背面とが近づく）。この斜切り面は、軸流ファン等により生じた気流を、吹出口ＣＦの角部へ導く。
【００５８】  同様に、図２と図７に示すように、第２接続ロッド２４Ｂは、接続ロッド本体２４１Ｂと接続部２４２Ｂを有する。接続ロッド本体２４１Ｂには、導風フィン２３が回動可能に設けられる。接続部２４２Ｂは、接続ロッド本体２４１Ｂよりも吹出パネル２０の中心に近く、接続ロッド本体２４１Ｂを内枠２２と接続する。また、Ｚ方向に沿って見た時に、接続部２４２Ｂの第２面２４２１Ｂと接続ロッド本体２４１Ｂの第２面２４１１Ｂとが組み合わせられて、内に凹んだ形状が形成される。同様に、図５に示すように、接続部２４２Ｂも、接続ロッド本体２４１Ｂの延びる方向にほぼ沿って延びる第１部分２４２３Ｂと、その第１部分２４２３Ｂを内枠２２に接続する第２部分２４２４Ｂと、を有する。第１部分２４２３Ｂと第２部分２４２４Ｂは、どちらも、気流を導く役割を果たす導風面を有する。具体的には、第１部分２４２３Ｂと第２部分２４２４Ｂの吹出パネルの中心方向に近い端面は、どちらも、アーチ形の導風面である。第２部分２４２４Ｂの吹出パネルの中心から離れた端面は、吹出口ＣＦの角部へ向かって延びる斜切り面である。この斜切り面は、軸流ファン等により生じた気流を、吹出口ＣＦの角部へ導く。
【００５９】  図６に示すように、第１接続ロッド２４Ａにおいて、接続ロッド本体２４１Ａの風受け面である第２面２４１１Ａと、風受け面の背面である第１面２４１２Ａとは、略平面である。接続部２４２Ａの第２面２４２１Ａと、第１面２４２２Ａとは、略平面である。また、接続ロッド本体２４１Ａの第２面２４１１Ａと、接続部２４２Ａの第２面２４２１Ａとは、交わる。接続ロッド本体２４１Ａの第１面２４１２Ａと、接続部２４２Ａの第１面２４２２Ａとは、ほぼ同一面であるか、または、第２面よりも大きい鈍角を成す。
【００６０】  これにより、導風片に導かれた気流を、接続部２４２Ａの第１面２４２２Ａに沿って接続ロッド本体の第１面２４１２Ａへ導き、さらに、吹出口ＣＦの角部へと導くことができる。
【００６１】  同様に、図７に示すように、第２接続ロッド２４Ｂにおいて、接続ロッド本体２４１Ｂの風受け面である第２面２４１１Ｂと、風受け面の背面である第１面２４１２Ｂとは、略平面である。接続部２４２Ｂの第２面２４２１Ｂと、第１面２４２２Ｂとは、略平面である。また、接続ロッド本体２４１Ｂの第２面２４１１Ｂと接続部２４２Ｂの第２面２４２１Ｂは交わり、接続ロッド本体２４１Ｂの第１面２４１２Ｂと接続部２４２Ｂの第１面２４２２Ｂは、ほぼ同一面であるか、第２面よりも大きい鈍角を成す。これにより、導風片に導かれた気流を接続部２４２Ｂの第１面２４２２Ｂに沿って接続ロッド本体の第１面２４１２Ｂに導き、さらに吹出口ＣＦの角部へと導くことができる。
【００６２】  また、図６と図７に示すように、第１接続ロッド２４Ａにおいて、接続部２４２Ａの第２面２４２１Ａと接続ロッド本体２４１Ａの第２面２４１１Ａは鈍角を成す。第２接続ロッド２４Ｂにおいて、接続部２４２Ｂの第２面２４２１Ｂと接続ロッド本体２４１Ｂの第２面２４１１Ｂも鈍角を成す。これにより、軸流ファン等により生じた気流が接続部２４２Ａ、２４２Ｂに沿って接続ロッド本体２４１Ａ、２４１Ｂに向かって流れる時、気流の方向の変化が比較的緩やかになるため、接続部２４２Ａ、２４２Ｂの第２面２４２１Ａ、２４２１Ｂと接続ロッド本体２４１Ａ、２４１Ｂの第２面２４１１Ａ、２４１１Ｂの接続箇所において、気流の乱れを起こしにくい。
【００６３】  ここで、第１接続ロッド２４Ａにおいて、接続部２４２Ａの第２面２４２１Ａと接続ロッド本体２４１Ａの第２面２４１１Ａが成す角α１は、好ましくは１６６°以上１７４°以下であり、より好ましくは、１７１°である。第２接続ロッド２４Ｂにおいて、接続部２４２Ｂの第２面２４２１Ｂと接続ロッド本体２４１Ｂの第２面２４１１Ｂが成す角α２は、好ましくは１６４°以上１７６°以下であり、より好ましくは、１６９°である。
【００６４】  また、図６、図７に示すように、第１接続ロッド２４Ａにおいて、接続部２４２Ａの第２面２４２１Ａと第１面２４２２Ａが成す角β１は、好ましくは０°より大きく１０°より小さい。より好ましくは６°である。第２接続ロッド２４Ｂにおいて、接続部２４２Ｂの第２面２４２１Ｂと第１面２４２２Ｂが成す角β２は、好ましくは０°より大きく１０°より小さい。より好ましくは８．３°である。
【００６５】  また、図２に示すように、吹出口ＣＦの同一角部の両側の第１接続ロッド２４Ａと第２接続ロッド２４Ｂは、第１接続ロッド２４Ａの接続ロッド本体と第２接続ロッド２４Ｂの接続ロッド本体が平行するように形成されている。
【００６６】  また、図４に示すように、第１接続ロッド２４Ａにおいて、導風フィン２３の回動軸２９は、導風フィン２３に平行な状態で接続ロッド本体２４１Ａと枢結されている。接続部２４２Ａと接続ロッド本体２４１Ａの境目は、内枠２２と回動軸２９の間に位置する。同様に、第２接続ロッド２４Ｂにおいて、導風フィン２３の回動軸は、導風フィン２３に平行な状態で接続ロッド本体２４１Ｂと枢結されている。接続部２４２Ｂと接続ロッド本体２４１Ｂの境目は、内枠２２と回動軸の間に位置する。図２、図３に示すように、吹出口ＣＦ内に設けられた各導風フィン２３と、第１接続ロッド２４Ａの接続ロッド本体２４１Ａ及び第２接続ロッド２４Ｂの接続ロッド本体２４１Ｂとは、それぞれ１つの回動軸により枢結されている。これにより、導風フィン２３を緩やかに回動できる。
【００６７】  ここで、図２と図３に示すように、吹出パネル２０には、中間接続ロッド２５がさらに設けられている。この中間接続ロッド２５は、外枠２１を内枠２２と接続する。Ｙ方向に沿って見た時に、中間接続ロッド２５は、吹出口ＣＦの中間に位置しており、導風フィン２３と垂直を成す。中間接続ロッド２５には、導風フィン２３を駆動して回動させるステップモーター（図示せず）が取り付けられている。第１接続ロッド２４Ａと第２接続ロッド２４Ｂは、中間接続ロッド２５に対して略対称に設けられている。
【００６８】  ここで、図８に示すように、空調室内機１が作動する際、導風フィン２３が吹出パネル２０の外面に対して設定角度まで回動する。吹出パネルの厚さ方向には、導風フィン２３（の最も上方の縁）と接続ロッド２４（の接続ロッド本体）の間には、軸流ファンにより生じた気流を流すため、隙間がある。導風フィン２３が吹出パネル２０の外面に対し最大角度（例えば７５度、９０度等）まで回動した時にも、導風フィン２３（の最も上方の縁）と接続ロッド２４（の接続ロッド本体）の間に約５ｍｍの隙間を確保できるのが好ましい。吹出パネルの小型化に影響を与えないという前提のもと、気流の流れるパスを拡大するために、この隙間を５ｍｍより大きくしても構わない。導風フィン２３が回動後に接続ロッド２４と互いに干渉しないことが保証された場合は、この隙間は５ｍｍより小さくてもよい。
【００６９】  また、図２に示すように、吹出パネル２０には、風防板２７がさらに設けられている。この風防板２７は、吹出口ＣＦの各角部に設けられ、外枠２１を内枠２２と接続する。風防板を利用して、周方向に隣接する導風フィンによって導かれた気流を分けることができる。このため、周方向に隣接する導風フィンによって導かれた気流が、吹出口において互いに干渉しあうこと、が抑制され、吹出口の気流を改善することができる。
【００７０】  また、図２と図３に示すように、内枠２２には、中央部材２６が設けられている。中央部材２６には、導風片２６１が設けられている。導風片２６１は、風受け面の背面である第１面と、風受け面である第２面を有している。Ｚ方向に沿って見た時（具体的には図３の視点）、時計回り方向において、第１面は第２面の下流に位置する。また、導風片２６１の吸気端２６１ａは、接続ロッド２４の接続ロッド本体の第１面の延長線上に位置する。具体的には、中間接続ロッド２５と第１接続ロッド２４Ａの間に位置する導風片の吸気端は、第１接続ロッド２４Ａの接続ロッド本体の風受け面の背面（第１面）の延長線上に位置する。中間接続ロッド２５と第２接続ロッド２４Ｂの間に位置する導風片の吸気端は、第２接続ロッド２４Ｂの接続ロッド本体の第１面の延長線上に位置する。
【００７１】  また、図８に示すように、中央部材２６に導風片２６１を設置しやすいように、Ｚ方向において、中央部材２６は少なくとも一部が吹出パネル２０から突出している。また、中央部材２６はアーチ形の導風面を有するので、軸流ファン等により生じた気流を吹出口ＣＦへ導くことができる。また、図８に示すように、Ｚ方向において、接続ロッド２４は導風片２６１の中央部に位置している。軸流ファン等により生じた気流は、導風片２６１の風受け面を経由して接続ロッド２４の接続部に流れ、そして接続ロッド本体に沿って吹出口ＣＦの角部へ導かれる。
【００７２】  本実施形態では、空調室内機１が作動する際、軸流ファン３０が回転し、吹出パネル２０の導風フィン２３が一定の角度で開く。気流は軸流ファン３０の働きにより吸気口ＪＦから室内機本体１０内に吸い込まれ、フィルターユニット４０、熱交換器５０を順に通過し、空調室内機１の中心部へ向かって流れる。次に、気流は、軸流ファン３０を経て螺旋形の気流を形成し、下方の中央部材２６へ流れる。その後、気流は、中央部材２６のアーチ形の導風面に導かれ、吹出パネル２０の中心から周囲に拡散し、吹出口ＣＦに至る。このうち、一部の気流は、中央部材２６に設けられている導風片２６１、具体的には導風片２６１の風受け面である第２面により、吹出口ＣＦの角部へ導かれる。この一部の気流は、支持ロッド２６２（この支持ロッド２６２は中央部材２６と室内機本体１０を接続する）の下方から通り抜け、接続ロッド２４を経由し、吹出口ＣＦの角部へ導かれる。具体的には、気流は、接続ロッド２４の接続部２４２Ａ、２４２Ｂに沿って、接続ロッド本体２４１Ａ、２４１Ｂへ流れ、吹出口ＣＦの角部へ導かれる。他の一部の気流は、中央部材２６によって吹出口の中央部へ導かれる。最後に、気流は吹出口ＣＦを通り、吹出口ＣＦの導風フィン２３に導かれて空調室内機１の外部へ吹出される。
【００７３】  本実施形態の空調室内機１によると、吹出パネル２０が、外枠２１と内枠２２に囲まれて形成された多辺形の吹出口ＣＦを利用しているため、３６０°全周にわたる風の吹出しを実現できる。また、吹出パネル２０は、吹出パネル２０の角部に設けられた接続ロッド２４を有し、Ｚ方向に沿って見た時に、接続ロッド２４の接続部の第２面と接続ロッド本体の第２面が組み合わされて内に凹んだ形状を形成している。これにより、接続ロッド２４の接続部の第２面を利用して、軸流ファン３０により生じた気流を、接続ロッド本体の第２面を経由させて吹出口ＣＦの角部に導くことができる。このため、吹出口ＣＦの風の吹出しが均一になる。
【００７４】  また、本実施形態の空調室内機１によると、接続ロッド２４において、接続部の第２面と接続ロッド本体の第２面が、内に凹んだ形状の鈍角を形成している。これにより、接続ロッド２４の接続部の第２面が軸流ファン３０により生じた気流を吹出口ＣＦの角部へ導く効果、を確保できる。また、接続ロッド２４の接続部と接続ロッド本体が軸流ファン３０により生じた気流に与える妨害を軽減でき、吹出口ＣＦの風の吹出しが均一になる。
【００７５】  また、本実施形態の空調室内機１によると、接続ロッド２４は、第１接続ロッド２４Ａと第２接続ロッド２４Ｂを含む。第１接続ロッド２４Ａにおいて、接続部２４２Ａの第２面２４２１Ａと接続ロッド本体２４１Ａの第２面２４１１Ａが成す角は、１６６°以上１７４°以下であり、接続部２４２Ａの第２面２４２１Ａと第１面２４２２Ａが成す角は０°より大きく１０°より小さい。第２接続ロッド２４Ｂにおいて、接続部２４２Ｂの第２面２４２１Ｂと接続ロッド本体２４１Ｂの第２面２４１１Ｂが成す角は、１６４°以上１７６°以下であり、接続部２４２Ｂの第２面２４２１Ｂと第１面２４２２Ｂが成す角は０°より大きく１０°より小さい。これにより、接続ロッド２４の接続部の第２面が軸流ファン３０により生じた気流を導く効果、をさらに確保できる。また、接続ロッド２４の接続部と接続ロッド本体が軸流ファン３０により生じた気流に与える妨害を軽減でき、吹出口ＣＦの風の吹出しがより均一になり、吹出パネルの３６０°全周にわたる風の吹出しを実現することができる。
【００７６】  また、本実施形態の空調室内機１によると、吹出口ＣＦの同一角部の両側の第１接続ロッド２４Ａと第２接続ロッド２４Ｂは、第１接続ロッド２４Ａの接続ロッド本体と、第２接続ロッド２４Ｂの接続ロッド本体とが平行するよう形成されている。これにより、吹出パネル２０の全体の構造を簡単にすることができる。また、接続ロッド２４の接続ロッド本体が吹出口ＣＦの角部の気流に与える妨害を軽減でき、吹出口ＣＦの風の吹出しが均一になる。
【００７７】  また、本実施形態の空調室内機１によると、接続ロッド２４において、Ｚ方向に沿って見た時、接続部の接続ロッド本体から離れた側の端部は、アーチ形を呈している。これにより、接続ロッド２４の接続部の接続ロッド本体から離れた側の端部が軸流ファン３０により生じた気流に与える妨害、を軽減できる。そして、端部のアーチ形を利用して軸流ファン等により生じた気流を吹出口ＣＦに導くことができるので、吹出口ＣＦの風の吹出しが均一になる。
【００７８】  また、本実施形態の空調室内機１によると、接続ロッド２４において、Ｚ方向に沿って見た時、接続部の幅は、接続ロッド本体側に向かって次第に狭くなる。これにより、接続ロッド２４の全体の強度を確保できる上、接続ロッド２４の体積を減らすことができる。このため、接続ロッド２４の接続部が軸流ファン３０により生じた気流に与える妨害、を軽減でき、吹出口ＣＦの風の吹出しが均一になる。
【００７９】  また、本実施形態の空調室内機１によると、Ｚ方向に沿って見た時、接続ロッド２４は、吹出パネル２０の中心方向側から吹出口ＣＦの角部に向かって伸びるよう形成されている。これにより、接続ロッド２４が軸流ファン３０により生じた気流に与える妨害を軽減でき、吹出口ＣＦの角部からも気流が吹き出す。さらには、吹出パネルの３６０°全周にわたる風の吹出しを実現し、吹出口ＣＦの風の吹出しが均一になる。
【００８０】  また、本実施形態の空調室内機１によると、接続ロッド２４において、Ｚ方向に沿って見た時、接続部の幅は接続ロッド本体の幅以上である。これにより、接続ロッド２４が軸流ファン３０により生じた気流に与える妨害、を軽減でき、吹出口ＣＦの風の吹出しが均一になる。
【００８１】  また、本実施形態の空調室内機１によると、接続ロッド２４において、接続ロッド本体は、回動軸２９を介して導風フィン２３と接続される。これにより、簡単な構造で導風フィン２３を接続ロッド２４に接続することができる。
【００８２】  また、本実施形態の空調室内機１によると、接続ロッド２４において、接続部と接続ロッド本体の境目は、内枠２２と回動軸２９の間に位置する。これにより、接続ロッド２４の構造を簡易化し、導風フィン２３が回動する時に接続ロッド２４と干渉しあうことを回避できる。
【００８３】  また、本実施形態の空調室内機１によると、吹出パネル２０には、中間接続ロッド２５がさらに設けられている。この中間接続ロッド２５は、外枠２１を内枠２２と接続する。Ｚ方向に沿って見た時、中間接続ロッド２５は吹出口ＣＦの中間に位置し、導風フィン２３と垂直を成す。中間接続ロッド２５には、導風フィン２３を駆動して回動させるステップモーターが取り付けられている。これにより、導風フィン２３が受ける力を均衡させ、駆動構造を簡易化できるだけでなく、吹出口の外の枠にステップモーターを設けることができ、吹出パネルを小型化できる。
【００８４】  また、本実施形態の空調室内機１によると、内枠２２には、中央部材２６が設けられている。この中央部材２６には、導風片２６１が設けられている。これにより、導風片２６１を利用することによって、軸流ファン３０により生じた気流を導き、気流が下向きにまっすぐ吹くことを抑制できる。これにより、吹出口ＣＦの風の吹出しをより均一にできる。
【００８５】  また、本実施形態の空調室内機１によると、導風片２６１の吸気端２６１ａは、接続ロッドの接続ロッド本体の第１面の延長線上に位置している。これにより、吹出口ＣＦの角部へ流れる気流をさらに確保でき、吹出口ＣＦの風の吹出しを均一にすることができる。
【００８６】  また、本実施形態の空調室内機１によると、Ｚ方向において、中央部材２６の少なくとも一部が、吹出パネル２０から突出している。これにより、導風片２６１と接続ロッド２４の相互作用によって、吹出口ＣＦの角部へ流れる気流をさらに確保でき、吹出口ＣＦの風の吹出しを均一にすることができる。
【００８７】  また、本実施形態の空調室内機１によると、Ｚ方向において、接続ロッド２４は、導風片２６１の中央部に位置している。これにより、導風片２６１と接続ロッド２４の相互作用を強めることができ、吹出口ＣＦの角部へ流れる気流が確保され、吹出口ＣＦの風の吹出しが均一になる。
【００８８】  以上、図面と合わせながら、吹出パネル２０および空調室内機１について例示的な説明を行ったが、これらの具体的な実現は、明らかに上述の実施形態の制限を受けない。
【００８９】  例えば、上記の実施形態において、室内機本体と、室内機本体の下方に設けられた吹出パネルを含む空調室内機を例にして説明を行った。しかし、これに限られず、例えば、吹出パネルが送風管を通じて空気処理機器と接続され、空気処理機器の送風ユニットから送り出された螺旋気流が、送風管を経由して吹出パネルに送られ、そして吹出パネルから送り出されるもの、であってもよい。
【００９０】  また、上述の実施形態において、軸流ファンにより生じた螺旋気流は、吹出パネルの中心を時計回りに回って流れるが、モータの駆動により、軸流ファンにより生じた螺旋気流が、吹出パネルの中心を反時計回りに回って流れてもよい。こうすると、吹出パネルの内面側から外面側に向かって見た時、吹出パネルの中心を反時計回りに回った方向において、接続部及び接続ロッド本体の第１面は第２面の下流側に位置し、吹出パネルの中心を反時計回りに回った方向において、第２接続ロッドは第１接続ロッドの下流側に位置する。吹出パネルの中心を反時計回りに回った方向において、導風片の第１面は導風片の第２面の下流側に位置する。上述の実施形態と比べると、この吹出パネルの構造は、上述の実施形態の吹出パネルの構造と、互いに鏡像になっている。
【００９１】  また、上述の実施形態において、室内機本体１０は、全体として略立方体形状を呈している。しかし、室内機本体の形状は、状況に応じて適宜変更してもよい。例えば、略円柱形状を呈するよう形成してもよいし、四角柱以外の角柱形状等に形成してもよい。同様に、上述の実施形態において、吹出パネル２０は、Ｚ方向に沿って見た時に、略方形を呈しているが、吹出パネルの形状も、状況に応じて適宜変更してもよい。例えば、略円形を呈するよう形成してもよいし、Ｚ方向に沿って見た時に、四辺形以外の多辺形等の形状に形成してもよい。
【００９２】  また、上述の実施形態において、吹出口ＣＦは方形を呈しているが、これに限らず、吹出口は、多辺形に形成されていればよい。
【００９３】  また、上述の実施形態において、室内機本体１０の各側面全てに吸気口ＪＦが設けられ、各吸気口ＪＦ全てにフィルターユニット４０が設けられているが、吸気口とフィルターユニットの数は必要に応じて適宜調整してよい。
【００９４】  また、上述の実施形態において、吹出口ＣＦの一辺には１つの第１接続ロッド２４Ａと１つの第２接続ロッド２４Ｂが設けられているが、吹出口ＣＦの一辺に設けられる第１接続ロッド２４Ａと第２接続ロッド２４Ｂの数は、必要に応じて変更してよい。
【００９５】  また、上述の実施形態において、接続ロッド２４は、第１接続ロッド２４Ａと第２接続ロッド２４Ｂを含む。しかし、これに限られず、接続ロッド２４は、第１接続ロッド２４Ａと第２接続ロッド２４Ｂのうちの一方だけを含むものであってもよい。
【００９６】  また、上述の実施形態において、吹出口ＣＦの同一角部の両側の第１接続ロッド２４Ａと第２接続ロッド２４Ｂは、第１接続ロッド２４Ａの接続ロッド本体と第２接続ロッド２４Ｂの接続ロッド本体が平行に形成されている。しかし、これに限られず、第１接続ロッド２４Ａの接続ロッド本体と第２接続ロッド２４Ｂの接続ロッド本体が、中間接続ロッド２５に対して対称に設けられるが、非平行に形成されてもよい。
【００９７】  また、上述の実施形態において、中央部材２６は、少なくとも一部が吹出パネル２０から突出している。しかし、これに限られず、吹出パネルの厚さ方向において、中央部材の最上部は、吹出パネルの最上部と略同一の高さでもよいし、または、吹出パネルの最上部より低くてもよい。
【００９８】  また、上述の実施形態では、第１接続ロッド２４Ａにおいて、接続ロッド本体２４１Ａの第２面２４１１Ａと第１面２４１２Ａは略平面であり、接続部２４２Ａの第２面２４２１Ａと第１面２４２２Ａは略平面である。第２接続ロッド２４Ｂにおいて、接続ロッド本体２４１Ｂの第２面２４１１Ｂと第１面２４１２Ｂは略平面であり、接続部２４２Ｂの第２面２４２１Ｂと第１面２４２２Ｂは略平面である。しかし、これに限られず、接続ロッド本体２４１Ａの第２面２４１１Ａと第１面２４１２Ａ、接続部２４２Ａの第２面２４２１Ａと第１面２４２２Ａは、他の形状に形成されてもよい（例えば、Ｚ方向に沿って見た時、アーチ形、折線形等を呈す）。接続ロッド本体２４１Ｂの第２面２４１１Ｂと第１面２４１２Ｂ、接続部２４２Ｂの第２面２４２１Ｂと第１面２４２２Ｂも、他の形状に形成されてもよい（例えばＺ方向に沿って見た時、アーチ形、折線形等を呈す）。
【００９９】  また、上述の実施形態において、内枠２２に中央部材２６が設けられているが、これに限られず、中央部材を省略してもよい。
【符号の説明】
【０１００】１                        空調室内機１０                      室内機本体２０                      吹出パネル２１                      外枠２２                      内枠２３                      導風フィン２４                      接続ロッド２４Ａ                    第１接続ロッド２４Ｂ                    第２接続ロッド２４１Ａ、２４１Ｂ        接続ロッド本体２４１１Ａ、２４１１Ｂ    第２面２４１２Ａ、２４１２Ｂ    第１面２４２Ａ、２４２Ｂ        接続部２４２１Ａ、２４２１Ｂ    第２面２４２２Ａ、２４２２Ｂ    第１面２４２３Ａ、２４２３Ｂ    接続部の第１部分２４２４Ａ、２４２４Ｂ    接続部の第２部分ＸＭＡ、ＸＭＢ            斜切り面２５                      中間接続ロッド２６                      中央部材２６１                    導風片２６１ａ                  吸気端２６２                    支持ロッド２７                      風防板２９                      回動軸３０                      軸流ファン４０                      フィルターユニット５０                      熱交換器Ｌ                        中心軸
【図１】
2019124097.tif 000003
【図２】
2019124097.tif 000004
【図３】
2019124097.tif 000005
【図４】
2019124097.tif 000006
【図５】
2019124097.tif 000007
【図６】
2019124097.tif 000008
【図７】
2019124097.tif 000009
【図８】
2019124097.tif 000010
【国際調査報告】
2019124097.tif 000011
2019124097.tif 000012
2019124097.tif 000013